(57)【要約】【課題】収納部に固定される収納トレーにおいて、横向き設置、縦向き設置の変更が可能にする。【解決手段】収納トレー１は上方に向けて開口部を形成する左右のトレー側板と前後のトレー側板を備え、前トレー側板４に、水平状態係合部２７の一部を構成する水平状態係合フック８が設けられており、後トレー側板５には鉛直状態係合部２９の一部を構成する鉛直状態係合フック１５が設けられており、後トレー側板５は、左右のトレー側板の後部に回転可能に軸１１で支持され、水平状態係合フック８を引き出し２０の水平状態係合受け２６に係合して水平に取り付け、鉛直状態係合フック１５を引き出し２０の鉛直態係合受け２８に係合して鉛直に取り付ける。【選択図】図１
2010011983.tif 000002
【特許請求の範囲】
【請求項１】
板材で構成される収納部に、収納トレーを固定する収納構造であって、収納トレーは開口部を上向きに設置した水平固定状態と、開口部を収納部の板材に対向させて設置した鉛直固定状態に変更可能であり、水平固定状態と鉛直固定状態の各々で、収納部と収納トレーが係合する水平状態係合部と鉛直状態係合部とを備えていることを特徴とする収納構造。
【請求項２】
請求項１に記載の収納構造であって、収納トレーは開口部を形成する複数のトレー側板を備え、複数のトレー側板のうちの１つのトレー側板に、水平状態係合部の一部を構成する水平状態係合フックが設けられ、これに対向するトレー側板に、鉛直状態係合部の一部を構成する鉛直状態係合フックが設けられていることを特徴とする収納構造。          
【請求項３】
請求項２に記載の収納構造であって、鉛直状態係合フックが設けられたトレー側板は、他のトレー側板に軸支されて回転可能に構成されていることを特徴とする収納構造。
【請求項４】
請求項１から３のいずれかに記載の収納構造であって、収納部に水平状態係合部の一部を構成する水平状態係合受けと、鉛直状態係合部の一部を構成する鉛直状態係合受けとが設けられ、収納部の収納空間を囲む収納側板あるいは収納背板が、水平状態係合受けとして機能することを特徴とする収納構造。
【請求項５】
請求項４に記載の収納構造であって、収納側板あるいは収納背板の上方に収納ガードバーを備え、収納ガードバーが鉛直状態係合受けとして機能することを特徴とする収納構造。
【発明の詳細な説明】
【技術分野】
【０００１】
本発明は、収納トレーの収納構造に関し、特に、引き出し収納部などの板材で構成される収納部に収納トレーを、取り付け位置や姿勢を変更可能に取り付けることのできる収納トレーの収納構造に関する。
【背景技術】
【０００２】
従来、キッチンのキャビネットの引き出しにおいて、その内部の空間を使い勝手よく有効に収納できるようにするために補助的に収納トレーや収納補助具等を設けることは知られている。
【０００３】
例えば、引き出し本体の側板の内側に沿った包丁保持具を着脱自在に付設した構成が知られている（特許文献１参照）。また、箱状体の一部に底板を張設しない無底部を形成し、無底部に深底の収納トレーを配設し、底板を張設した有底部に浅底の収納トレーを配設した構成が知られている（特許文献２参照）。
【０００４】
また、キッチンカウンタ下方の空間にスライド自在に収められる引出しと、この引出しの収納室上方に配置され、ガイドレールにスライド自在に架設する枠体に懸架する収納棚とを設けた引出し構造が知られている（特許文献３参照）。
【０００５】
【特許文献１】特開２０００−２１０１４６号公報
【特許文献２】特開２００５−２０４７９１号公報
【特許文献３】特開２００５−２１１０９２号公報
【発明の開示】
【発明が解決しようとする課題】
【０００６】
上記特許文献に記載された従来の発明は、引き出しなどの収納部に収納トレーを着脱できる構成であるが、収納トレーを取り付けるその位置や姿勢を変えることはできない。本発明は、引き出しなどの収納部に収納トレーを取り付け位置や姿勢を変更可能に取り付けることのできる収納トレーの収納構造を実現することを課題とする。  
【課題を解決するための手段】
【０００７】
本発明は上記課題を解決するために、板材で構成される収納部に、収納トレーを固定する収納構造であって、収納トレーは開口部を上向きに設置した水平固定状態と、開口部を収納部の板材に対向させて設置した鉛直固定状態に変更可能であり、水平固定状態と鉛直固定状態の各々で、収納部と収納トレーが係合する水平状態係合部と鉛直状態係合部とを備えていることを特徴とする収納構造を提供する。
【０００８】
収納トレーは開口部を形成する複数のトレー側板を備え、複数のトレー側板のうちの１つのトレー側板に、水平状態係合部の一部を構成する水平状態係合フックが設けられ、これに対向するトレー側板に、鉛直状態係合部の一部を構成する鉛直状態係合フックが設けられている構成とすることが好ましい。          
【０００９】
鉛直状態係合フックが設けられたトレー側板は、他のトレー側板に軸支されて回転可能に構成されていることが好ましい。
【００１０】
収納部に水平状態係合部の一部を構成する水平状態係合受けと、鉛直状態係合部の一部を構成する鉛直状態係合受けとが設けられ、収納部の収納空間を囲む収納側板あるいは収納背板が、水平状態係合受けとして機能する構成とすることがこと好ましい。
【００１１】
収納側板あるいは収納背板の上方に収納ガードバーを備え、収納ガードバーが鉛直状態係合受けとして機能する構成とすることがこと好ましい。
【発明の効果】
【００１２】
本発明に係る収納構造によれば、収納部に固定される収納トレーにおいて、横向き設置、縦向き設置の変更が可能となる。
【発明を実施するための最良の形態】
【００１３】
本発明に係る収納構造を実施するための最良の形態を実施例に基づき図面を参照して、以下説明する。
【実施例１】
【００１４】
本発明に係る収納構造の実施例を図１及び図２において説明する。本発明の収納構造は、収納部内に収納トレーを取り付け位置や姿勢を変更して取り付けることが可能な構成である。この実施例１では、収納部としてキッチン等のキャビネット内に開閉可能に装着される引き出しを例にして説明する。
【００１５】
図１は、本発明の収納構造における収納トレー１の構成を説明する図であり、収納トレー１を水平に置いた状態を示している。図１（ａ）において、収納トレー１は、図中左側に向かって左トレー側板２、右トレー側板３と、前トレー側板４、後トレー側板５と、底板６とを備え、上方に向けて開口部７を有する箱の形状に形成されている。
【００１６】
図１（ａ）に示すように、前トレー側板４には、その上端部に上縁に沿って水平に延びる水平状態係合フック８を備えている。この水平状態係合フック８は、前トレー側板４の上端部から前方に張り出した水平部９と、先端が下方に延びる鉛直部１０とからなり、側面視で下方に向いた鉤状に形成されている。
【００１７】
収納トレー１の一部の側面を示す図１（ｃ）において、水平状態係合フック８の鉛直部１０の厚さ（水平状態係合フック８の厚さ）をＴｈとし、水平状態係合フック８と前トレー側板４との隙間寸法（水平状態係合フック８の隙間）をＥｈとし、底板６の下面から水平部９の下面までの高さ（水平状態係合フック８の高さ）をＧｈとする。
【００１８】
後トレー側板５は、図１（ａ）、（ｂ）に示すように、左トレー側板２、右トレー側板３のそれぞれの後端かつ上端の角部の内面に軸１１により回転可能に軸支されている。図１（ａ）は、後トレー側板５が収納トレー１の後部開口１２が閉じた状態を示し、図１（ｂ）は軸１１を中心に後トレー側板５が上方に回動して後部開口１２が開いた状態を示している。
【００１９】
後トレー側板５の内面の下端部には係合突起１３が形成され、この係合突起１３の位置に対応して底板６の内面の後端部には係合突起１３を受ける係合受部１４が形成されている。係合突起１３と係合受部１４は、互いに係脱可能であり、図１（ａ）に示すように後トレー側板５が閉じている時は、係合突起１３は係合受部１４と係合している。図１（ｂ）に示すように後トレー側板５を開く時は、係合突起１３は係合受部１４からはずせるように構成されている。
【００２０】
なお、係合突起１３と係合受部１４は、共に樹脂で形成し互いに係脱可能な凹凸部材の構成としたり、或いは係脱可能な弾性を有する金属片を有する構成としてもよい。その他、係合突起１３と係合受部１４ではなく、磁石の吸着により互いに係脱可能な構成としてもよい。
【００２１】
図１（ａ）に示すように、後トレー側板５には、その下部外面に下縁に沿って水平に延びる鉛直状態係合フック１５を備えている。この鉛直状態係合フック１５は、図１（ａ）において、後トレー側板５から後方に張り出した水平部１６と、先端が上方に延びる鉛直部１７とからなり、側面視で上方に向いた鉤状に形成されている。
【００２２】
図１（ｄ）において、鉛直状態係合フック１５の鉛直部１７の厚さ（鉛直状態係合フック１５の厚さ）をＴｖとし、鉛直状態係合フック１５と前トレー側板４との隙間寸法（鉛直状態係合フック１５の隙間寸法）をＥｖとし、底板６の下面から水平部の下面までの高さ（水平状態係合フック８の鉛直部１０の下面から鉛直状態係合フック１５の水平部１６の下面からまでの高さ寸法）をＧｖとする。
【００２３】
図２（ａ）、（ｂ）は、収納トレー１を取り付ける収納部である引き出し２０の構成を示し、図２（ｃ）、（ｄ）は収納トレー１の取り付け状態を説明する図（図２（ａ）のＡ−Ａ断面図）である。図２（ａ）、（ｂ）において、引き出し２０は、扉板２１、左右の収納側板２２、２３、収納背板２４及び収納底板２５を備え、これらで収納部の収納空間を囲むように形成されている。
【００２４】
扉板２１の内面の下部には、内面に沿って水平に延びる水平状態係合受け２６が設けられている。水平状態係合受け２６は、収納トレー１の水平状態係合フック８とともに本発明の収納構造の水平状態係合部２７を構成する（図２（ｃ）参照）。水平状態係合受け２６は、側面視でクランク状に形成されている。
【００２５】
図２（ｂ）に示すように、水平状態係合受け２６は、その厚さをＢｈとし、収納底板２５から水平状態係合受け２６の上面までの高さＦｈ、扉との隙間寸法Ｄｈとすると、水平状態係合フック８が水平状態係合受け２６に係合するために、水平状態係合フック８の隙間Ｅｈは水平状態係合受の厚さＢｈよりやや大きく、水平状態係合フック８の厚さＴｈは扉との隙間寸法Ｄｈよりやや小さく形成され、水平状態係合フック８の高さＧｈは水平状態係合受け２６の高さＦｈとほぼ同じに形成されている。
【００２６】
扉板２１の内面の上部には、内面に沿って水平に延びる鉛直状態係合受け２８が設けられている。鉛直状態係合受け２８は、収納トレー１の鉛直状態係合フック１５とともに本発明の収納構造の鉛直状態係合部２９を構成する（図２（ｄ）参照）。鉛直状態係合受け２８は、側面視でクランク状に形成されている。
【００２７】
鉛直状態係合受け２８は、その厚さをＢｖ、収納底板２５から鉛直状態係合受け２８の上面までの高さをＦｖ、扉との隙間寸法をＤｖとすると、鉛直状態係合フック１５が鉛直状態係合受け２８に係合するためには、鉛直状態係合フック１５の隙間Ｅｖは鉛直状態係合受の厚さＢｖよりやや大きく、鉛直状態係合フック１５の厚さＴｖは扉との隙間寸法Ｄｖよりやや小さく形成され、鉛直状態係合フック１５の高さＧｖは鉛直状態係合受け２８の高さＦｖとほぼ同じに形成されている。
【００２８】
（作用）
以上の構成からなる本発明の実施例１の収納構造の作用を説明する。収納トレー１を、引き出し２０内に水平状態で取り付ける場合には、収納トレー１を図１（ａ）に示す状態として、収納トレー１の水平状態係合フック８を水平状態係合受け２６に係合させて、図２（ｃ）に示すように、収納トレー１を底板６から収納底板２５上に載置する。使用者は、上部開口から収納物の収納及び取り出しが可能である。
【００２９】
また、収納トレー１を、引き出し２０内に鉛直状態で取り付ける場合には、係合突起１３を係合受部１４からはずして、後トレー側板５を、図１（ｂ）に示すように、軸１１を中心として上方に回転して後方に開いた状態とする。そして、収納トレー１の鉛直状態係合フック１５を、鉛直状態係合受け２８に係合させて、図２（ｄ）に示すように、収納トレー１を前トレー側板４を下にして鉛直状態とし、収納底板２５上に水平状態係合フック８を当接するようにして載置する。
【００３０】
図２（ｄ）では収納トレー１は上方に開いた状態となるから、使用者は、上方から収納物の収納及び取り出しが可能である。この状態では、例えば、瓶のような比較的高さの高い物品を収納トレー１内に収納することが可能となる。したがって、高さの異なる収納物に応じて収納トレー１の取り付け位置や姿勢を変更することができる。
【実施例２】
【００３１】
本発明に係る収納構造の実施例２を説明する。実施例２は、実施例１とほぼ同じであるので、図１及び図２も参照し（実施例１と同じ構成については符号も同じ符号を付す）、さらに図３によってその特徴とする構成を中心に説明する。
【００３２】
実施例２の収納構造の特徴は、収納トレー３０の水平状態係合フック３１を、引き出し２０の左右の収納側板２２、２３及び収納背板２４の上縁にも係合可能な構成としたものである。図３（ａ）において、左右の収納側板２２、２３及び収納背板２４の厚さをＣｈとし、収納底板２５上面から収納側板及び収納背板２４の上面までの高さをＤｈとする。
【００３３】
収納トレー３０の水平状態係合フック３１が、左右の収納側板２２、２３及び収納背板２４の上縁にそれぞれ係合可能なようにするために、水平状態係合フック３１の隙間Ｅｈ（図１（ｃ）参照）は、左右の収納側板２２、２３及び収納背板２４の厚さＣｈよりやや大きくし、水平状態係合フック３１の高さＧｈは、左右の収納側板２２、２３及び収納背板２４の高さＤｈとほぼ同じに形成されている。
【００３４】
このような構成とすることで、収納トレー３０を、水平状態においては、水平状態係合フック３１を、図３（ｂ）に示すように実施例１と同様に、水平状態係合受け２６に係合させて引き出しに取り付けることを可能とするととともに、図３（ｃ）に示すように、水平状態係合フック３１を、収納背板２４にも係合可能である。
【００３５】
さらに、収納トレー３０を左右の収納側板２２、２３にも係合可能であり、これによって、収納トレー１を、図３（ｄ）に平面図を示すようないろいろな位置にも付け替えることができる。
【実施例３】
【００３６】
本発明に係る収納構造の実施例３を説明する。実施例３は、実施例１及び実施例２とほぼ同じであるので、図１〜図３も参照し（実施例１、２と同じ構成については符号も同じ符号を付す）、さらに図４によってその特徴とする構成を中心に説明する。
【００３７】
実施例３の収納構造は、図４（ｂ）に示すように実施例１同様に収納トレー１をその鉛直状態係合フック１５を鉛直状態係合受け２８に係合させて、鉛直状態に取り付けることができる。このような取り付けに限定されるだけでなく、この実施例３の収納構造の特徴は、左右の収納側板２２、２３及び／又は収納背板２４の上方に、収納ガードバー４０を備え、この収納ガードバー４０に収納トレー１の鉛直状態係合フック１５を係合可能な構成としたものである。
【００３８】
収納ガードバー４０の上面までの収納底板２５の上面からの高さは、鉛直状態係合フック１５の高さＧｖ（図１（ｄ）参照）とほぼ同じとすることにより、図４（ｃ）に示すように、収納トレー１を、その鉛直状態係合フック１５を収納ガードバー４０に係合し、収納背板２４に当接し収納底板２５上に載置して取り付けることができる。
【００３９】
さらに、図４（ｄ）に示すように、収納トレー１を、その鉛直状態係合フック１５を収納側板２３上に設けられた収納ガードバー４０に係合し、収納側板２３に当接し収納底板２５上に載置して取り付けることができる。
【００４０】
以上、本発明に係る収納構造を実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４１】
本発明に係る収納構造は、上記のような構成であるから、キッチンキャビネット、洗面キャビネット、その他の各種のキャビネットの引き出しへの収納トレーの取り付けに適用できる。
【図面の簡単な説明】
【００４２】
【図１】本発明に係る収納構造の実施例１を説明する図であり、（ａ）、（ｂ）は、収納トレーの構成を説明する斜視図であり、（ｃ）は収納トレーの一部を示す側面図であり、（ｄ）は収納トレーを鉛直状態にした側面図を示す。
【図２】本発明に係る収納構造の実施例１を説明する図であり、（ａ）は引き出しの斜視図であり、（ｂ）はＡ−Ａ断面図の一部であり、（ｃ）、（ｄ）は作用を説明する図（（ａ）のＡ−Ａ方向と同様の方向に見た断面で示す）である。
【図３】本発明に係る収納構造の実施例２を説明する図であり、（ａ）は引き出しの斜視図であり、（ｂ）、（ｃ）は作用を説明する図（（ａ）のＡ−Ａ方向と同様の方向に見た断面で示す）であり、（ｄ）は作用を説明する平面図である。
【図４】本発明に係る収納構造の実施例３を説明する図であり、（ａ）は引き出しの斜視図であり、（ｂ）、（ｃ）は作用を説明する図（（ａ）のＡ−Ａ方向と同様の方向に見た断面で示す）であり、（ｄ）は作用を説明する図（（ａ）のＢ−Ｂ方向と同様の方向に見た断面で示す）である。
【符号の説明】
【００４３】
１  収納トレー                             
２  左トレー側板                           
３  右トレー側板                           
４  前トレー側板                           
５  後トレー側板                           
６  底板                                   
７  開口部                                 
８  水平状態係合フック                     
９  水平部                                 
１０  鉛直部                               
１１  軸                                   
１２  後部開口                             
１３  係合突起                             
１４  係合受部                             
１５  鉛直状態係合フック                   
１６  水平部                               
１７  鉛直部                               
２０  引き出し                             
２１  扉板                                 
２２、２３  左右の収納側板                 
２４  収納背板                             
２５  収納底板                             
２６  水平状態係合受け                     
２７  水平状態係合部                       
２８  鉛直状態係合受け                     
２９  鉛直状態係合部                       
３０  収納トレー                           
３１  水平状態係合フック
４０  収納ガードバー                   
【図１】
2010011983.tif 000003
【図２】
2010011983.tif 000004
【図３】
2010011983.tif 000005
【図４】
2010011983.tif 000006